(57)【特許請求の範囲】
【請求項１】
ダストの混じったガスが流れるガスダクトからサンプルガスを抽気し、前記ガスからダストを除去した後、前記ガスを、ガス成分の濃度を求めるガス分析器へ送るガス抽気装置であって、
前記ガス分析器は、前記ガスが通過するキャビティーと、前記キャビティー内に光を照射する光源と、前記キャビティー内を通過した前記光を分光する分光器と、分光された前記光を電気信号に変換する光検出素子と、前記電気信号に基づいてガス成分の濃度を演算する演算器と、を有し、
前記ダストは、前記ガス成分を変化させる触媒能力を有するものを含み、
起立した形状のガス室と該ガス室の上部に設けられたガスが流入するガス流入口と該ガス室の上部に設けられたガスが流出するガス流出口とを有するガス室ハウジングと、前記ガス室の上部を前記ガス流入口と前記ガス流出口との間で前後に間仕切るガス室仕切り壁と、
前記ガス室仕切り壁の下端部より下方の前記ガス室に設けられガスの流れを邪魔する板であるガス流れ邪魔板と、を備え、
前記ガス流れ邪魔板は、当該ガス流れ邪魔板の上方の前記ガス室と、当該ガス流れ邪魔板の下方の前記ガス室とを連通する開口を形成していることにより、前記下方の前記ガス室に前記ダストを溜め、前記上方の前記ガス室におけるガスの流れの影響を、前記下方の前記ガス室において受けにくくする、ことを特徴とするガス抽気装置。
【請求項２】
前記ガス室ハウジングが前後に整列した複数の前記ガス室を有し、最前端の前記ガス流入口がガスダクトと連通し、前後に隣り合う前記ガス室の前記ガス流入口と前記ガス流出口とが連通し、最後端の前記ガス流出口がサンプルガスのラインと連通していることを特徴とする請求項１に記載のガス抽気装置。
【請求項３】
前記ガス流れ邪魔板が、ダストよりも大きい開口を均一に設けられ前記ガス室を上下に間仕切る仕切り板を有する、ことを特徴とする請求項１または２に記載のガス抽気装置。
【請求項４】
前記ガス流れ邪魔板が、前記ガス室の壁から内側へ突き出した庇状の板である邪魔板を有する、ことを特徴とする請求項１または２に記載のガス抽気装置。
【請求項５】
前記ガス室の下部に連通する配管と配管の途中に設けられた開閉弁を有するダスト排出ラインを備えることを特徴とする請求項１乃至請求項４のいずれか一項に記載のガス抽気装置。
【請求項６】
前記ガス室仕切り壁を挟む前記ガス室の２つの壁から、それぞれ、当該ガス室仕切り壁の側へ突き出した２つの庇状の板が、前記ガス流れ邪魔板として設けられ、当該２つの庇状の板は、両者の間に前記開口を形成している、ことを特徴とする請求項１または２に記載のガス抽気装置。
【発明の詳細な説明】
【０００１】
【発明の属する技術分野】
本発明は、燃焼設備等から排出されたダストを含む排ガスから排ガスを抽気するガス抽気装置に関する。
【０００２】
【従来の技術】
ボイラやごみ焼却器等の燃焼設備から排出される排ガスには硫黄酸化物や窒素酸化物等の有害な成分が含まれている。これらの排ガスを大気に放出するには、排煙脱硫装置や排煙脱硝装置等の排煙処理装置で無害化することが必要である。
【０００３】
一般的な燃焼設備を、図を参照して説明する。図５は、一般的な燃焼設備の概念図である。
燃焼設備２００では、アスファルトタンク２０１に貯蔵された燃料を、加熱器２０２で加熱し、ボイラ２０３で燃焼する。燃焼した後のガスには、燃料に由来するダストが混じっている。ダストが混じったガスは、ガスダクト１０１を介して、脱硝装置２０４、予熱器２０５、集塵機２０６を経由して、吸収搭２０７でＳＯｘ等を吸収され、煙突２０８から大気開放される。
【０００４】
例えば、ＳＯ2とＳＯ3が、ガスダクト１０１を通過するガスに含まれている。ＳＯｘが結露してガスダクト１０１を腐食するのを防止するために、酸露点以上の温度にガス温度を維持している。ＳＯ3の含有量が減ると酸露点が下降するので、排煙処理装置のダクトの温度を下げることができる。しかし、従来の分析装置はＳＯ3を連続測定する事ができなかったので、ＳＯ3の含有量を大目に予測してダクトの温度を維持していた。そのため、ＳＯ3の含有量を正確に把握できる場合に比べて、ガスダクト１０１の温度を高くしなければならなかった。
また、ＳＯ3をアンモニアに吸収させて処理している。ＳＯ3の含有量が減るとアンモニアの量が少なくして、アンモニア消費量を減らすことができる。しかし、従来の分析装置はＳＯ3を連続測定する事ができなかったので、ＳＯ3の含有量を大目に予想してアンモニアを処理装置に供給していた。
【０００５】
このため、燃焼設備や排煙処理装置から排出される排ガス中の硫黄酸化物や窒素酸化物等の分析装置の開発が盛んに行われている。
この分析装置の一つとしてＳＯ3ガスの連続分析装置がある。従来の分析方法ではＳＯ3ガスをリアルタイムに連続測定することができなかった。
そこで、出願人は、ＳＯ3を連続測定できる計測装置を開発した。出願人は、特願平１１年第３７４１０３号において、煙道から排ガスを吸入する吸入用配管及び上記煙道に排ガスを排出する排出用配管を有すると共に、対向する二つの透明窓を有するキャビテイと、該キャビテイ内に光を照射するための光源と、上記キャビテイの外部に配置され、上記光源からの光を上気キャビテイ内に複数回往復させるための反射ミラーと、往復後の光のうち波長２００ｎｍ〜２６０ｎｍの光を分光分析することにより上記排ガス中のＳＯ3濃度を算出する算出手段とを備えたＳＯ3濃度計の発明を出願した。
【０００６】
上記構成により煙道から排ガスが吸入されたキャビティ内に光源からの光を複数回往復させ、往復後の光を分光分析することにより排ガス中のＳＯ3濃度を計測することができる。
この際に、吸入用配管の途中にフィルタを設けてガスのダストを除去している。排ガスがダストを含む場合に、キャビティ内に進入したダストが光源からの光を散乱させて計測誤差を生じさせることを防止している。
【０００７】
上述のガス分析装置を使用すれば、燃焼設備や排煙処理装置から排出される排ガス中の硫黄酸化物や窒素酸化物等の分析を連続して行うことができ、ボイラやごみ焼却器等の燃焼設備の運転を適切に行うことができる。
例えば、ＳＯ2とＳＯ3とが同時に含まれている排ガスの場合、ＳＯ2とＳＯ3の成分割合を連続して測定することができ、酸露点の温度を的確に把握でき、ＳＯ2とＳＯ3とが結露しないようにダクトの温度を適切に制御することで、ダクトの腐食を防止できる。
また、ＳＯ3の量を連続して測定すれば、ＳＯ3の処理のためのアンモニアの量を適切に管理できる。
【０００８】
【発明が解決しようとする課題】
ところで、触媒能力を有するダストが排ガス中に混ざっている場合がある。
従来のフィルタを用いたガス分析装置の場合、ダストがガスを抽気するガス抽気装置のフィルタに捕捉される。ダストはフィルタの目に詰まったままとなる。そのダストが分析対象である成分に対して触媒能力がある場合、フィルタを通過したガスの成分が変化してしまう。ガスの成分が変化してしまうと、ガス分析装置の測定データが、実際にガスダクトを通過するガスの成分と異なってしまうという問題があった。
例えば、五酸化バナジウムはダストの主要成分の一つである。五酸化バナジウムは、所定温度でＳＯ2とＯ2を反応させてＳＯ3を生成させる触媒能力がある。五酸化バナジウムのダストが吸入用配管の途中に設けられたフィルタの目に捕捉されると、ＳＯ2とＳＯ3とが混じったガスがフィルタを通過した際に、一部のＳＯ2がＯ2と反応してＳＯ3になるので、ガス中のＳＯ3の濃度が上昇する。ガス分析装置の分析したＳＯ2とＳＯ3の比が、ガスダクトを流れるガスの真のＳＯ2とＳＯ3の比と異なってしまう。
この例の様に、ガス分析装置の測定データが、ガスダクトを通過するガスの真のガス成分を分析できないと、上述の様なボイラやごみ焼却器等の燃焼設備の運転を適切に行うことができなくなる。
【０００９】
本発明は以上に述べた問題点に鑑み案出されたもので、従来のガス抽気装置にかわって、連続的にガス中に含まれるダストを除去し、かつ触媒能力のあるダストが混じっていてもガス成分に変化を与えずにガスを抽気できるガス抽気装置を提供しようとする。
【００１０】
【課題を解決するための手段】
上記目的を達成するため、本発明に係るダストの混じったガスが流れるガスダクトからサンプルガスを抽気するガス抽気装置は、起立した略筒形状のガス室と該ガス室の上部に設けられたガスが流入するガス流入口と該ガス室の上部に設けられたガスが流出するガス流出口とを有するガス室ハウジングと、
前記ガス室の上部を前記ガス流入口と前記ガス流出口との間で前後に間仕切るガス室仕切り壁と、を備えるものとした。
【００１１】
上記本発明の構成により、ガス室ハウジングがガス室とガス流入口とガス流出口とを有し、ガス室仕切り壁がガス室の上部を前記ガス流入口と前記ガス流出口との間で前後に間仕切り、ガスが、ガス流入口から入り、ガス室の上部から出るので、ガスが、ガス室仕切り壁に沿って下降し、ガス室仕切り壁の下端部で急激に曲げられてガス室仕切り壁に沿って上昇し、ガス中のダストが遠心力で振り落とされ、ガス室の下に溜まり、ダストの少なくなったガスがガス流出口からでて、ダストの少ないガスを得ることが出来る。
【００１２】
さらに、本発明に係るガス抽気装置は、前記ガス室ハウジングが前後に整列した複数の前記ガス室を有し、最前端の前記ガス流入口がガスダクトと連通し、前後に隣り合う前記ガス室の前記ガス流入口と前記ガス流出口とが連通し、最後端の前記ガス流出口がサンプルガスのラインと連通し、ているものとした。
上記本発明の構成により、ガスが、整列した複数のガス室を順次通過しつつ、ガスからダストが除去され、さらにダストの少ないガスを得ることが出来る。
【００１３】
さらに、本発明に係るガス抽気装置は、前記ガス室仕切り壁の下端部より下方の前記ガス室に設けられガスの流れを邪魔する板であるガス流れ邪魔板を備える。
上記本発明の構成により、ガス流れ邪魔板が、下端部より下方のガス室でのガスの流れを邪魔するので、ガスが溜まったダストに直接接触せず、ダストが触媒能力を有していても、ガス成分を変化させない。
【００１４】
さらに、本発明に係るガス抽気装置は、前記ガス流れ邪魔板が、ダストよりも十分に大きい開口を均一に設けられ前記ガス室を上下に間仕切る仕切り板を有するものとした。
上記本発明の構成により、ダストよりも十分に大きい開口を均一に設けられた仕切り板がガス室を上下に間仕切るので、ダストは開口を通過して仕切り板の下に溜まり、仕切り板の下はガスの流れの影響を受けず、ガスが溜まったダストに直接接触しない。
【００１５】
さらに、本発明に係るガス抽気装置は、前記ガス流れ邪魔板が、前記ガス室の壁から内側へ突き出した庇状の板である邪魔板を有するものとした。
上記本発明の構成により、邪魔板がガス室の壁からガス室内へ庇状に突き出しているので、ダストは邪魔板の隙間を通過して邪魔板の下に溜まり、邪魔板の下はガスの流れの影響を受けず、ガスが溜まったダストに直接接触しない。
【００１６】
さらに、本発明に係るガス抽気装置は、前記ガス室の下部に連通する配管と配管の途中に設けられた開閉弁を有するダスト排出ラインを備えるものとした。
上記本発明の構成により、ダスト排出ラインの開閉弁を開くと、ガス室の下に溜まったダストを外部へ排出できる。
【００１７】
【発明の実施の形態】
以下、本発明の好ましい第一の実施形態を、図面を参照して説明する。なお、各図において、共通する部分には同一の符号を付し、重複した説明を省略する。
【００１８】
本発明の第一の実施形態に係るガス抽気装置付きガス分析装置の構造を説明する。図１は、本発明の第一の実施形態の概念図である。図２は、本発明の第一の実施形態の斜視図である。図４は、本発明の実施形態のガス抽気装置を設けたガス分析装置の概念図である。
【００１９】
最初に、ガス分析器の構造を簡単に説明する。ガス分析装置１００は、ガス抽気装置１０２と予熱温度調整器１０４と予熱器１０５とキャビティー１０６と循環ポンプ１０７と光源１０８と反射ミラー１０９と分光器１１０と光検出素子１１１と演算器１１２とヒータ１１３と温度調節器１１４とを備える。
【００２０】
ガス抽気装置１０２は、ガスダクト１０１の中を流れるダストを含んだガス１を抽気する装置であり、抽気したガス２からダストを除去し、サンプリングガス４を予熱器１０５に送る。予熱器１０５は、予熱調節器１０４により制御され、サンプリングガス４を計測に必要な温度に予熱する装置であり、予熱したガスをキャビティー１０６へ送る。キャビティー１０６は、所定の温度になったガスを密閉する部屋であり、対向する２つの透明窓を有する。循環ポンプ１０７が、抽気されたサンプリングガスが、キャビティー１０６内を連続的に通過できる様にしている。光源１０８は、キャビティー１０６内に所望の周波数の光を照射するためのものである。反射ミラー１０９は、光源１０８からの光をキャビティー１０６内で複数回往復させるためのミラーであり、透明窓に面して設けられる。分光器１１０は、入射した光を分光する装置である。光検出素子１１１は、分光された光を電気信号に変換する素子であり、分光器１１０の内部に設けられる。演算器１１２は、光検出素子１１１の出力した電気信号を元に、ガス成分の濃度（例えばＳＯ3の濃度）を演算する装置である。ヒータ１１３は、温度調節器１１４により制御され、キャビティー１０６内のガス温度を所望の温度に維持する装置である。
【００２１】
次に、ガス分析器の作用を簡単に説明する。ダストを含んだガス１が、ガスダクト１０１を流れる。そのガス１がガス抽気装置１０２に抽気され、ダストが除去されたサンプルガス４となる。サンプルガス４は、予熱器１０５により所定の温度に予熱され、キャビティー１０６に入る。光源１０８からの光がキャビティー１０６内を通過し、分光器１１０により分光をされる。分光された光は、光検出素子１１１により電気信号に変換さる。演算器１１２は電気信号からガス成分を演算する。サンプルガス４は、循環ポンプ１０７により、ガスダクト１０１に戻される。
【００２２】
次に、第一の実施形態に係るガス抽気装置を詳述する。
第一の実施例に係るガス抽気装置は、ダストの混じったガスが流れるガスダクトからサンプルガスを抽気する装置であって、整列した複数のガス室１１ａ、１１ｂ、１１ｃ、１１ｄ、１１ｅ、１１ｆ（１１で代表する。）を有するガス室ハウジング１０とガス室毎のガス室仕切り壁１６ａ、１６ｂ、１６ｃ、１６ｄ、１６ｅ、１６ｆ（１６で代表する。）とガス室毎の仕切り板（ガス流れ邪魔板に相当する。）１８ａ、１８ｂ、１８ｃ、１８ｄ、１８ｅ、１８ｆ（１８で代表する。）とダスト排出ライン３０とを備える。
【００２３】
ガス室ハウジング１０のガス室１１は、ガスを流入させ、内部にガスを流しつつガス中のダストを除去し、ダストが減ったガスを流出させるものであり、起立した略筒形状を有する。説明の便宜上、ガスが流入する側を前、ガスが流出する側を後、とする。図示するガス室は、６面体であり、前板と後板と２枚の側板と天板と底板で囲われる。ガスが流入するガス流入口が、ガス室の前板の上部に設けられる。ガスが流出するガス流出口が、ガス室の後板の上部に設けられる。
【００２４】
ガス室仕切り壁１６は、ガス室仕切り壁の下端部１７ａ、１７ｂ、１７ｃ、１７ｄ、１７ｅ、１７ｆ（１７で代表する。）とガス室１１の底板の間にのみ隙間を残して前記ガス室を前後に間仕切る壁である。ガス室仕切り壁１６に仕切られたガス室の前部を、前部ガス流路１４ａ、１４ｂ、１４ｃ、１４ｄ、１４ｅ、１４ｆ（１４で代表する。）と呼ぶ。ガス室仕切り壁１６に仕切られたガス室の後部を、後部ガス流路１５ａ、１５ｂ、１５ｃ、１５ｄ、１５ｅ、１５ｆ（１５で代表する。）と呼ぶ。前記ガス流入口が前記前部ガス流路に連通し、前記ガス流出口が前記後部ガス流路に連通する。
【００２５】
仕切板１８は、ダストよりも十分に大きい開口（例えば、丸穴や矩形穴）を均一に設けられた板であり、前記ガス室仕切り壁の下端部より下方のガス室を上下に間仕切る様に設けられる。仕切板１８開口の総面積は、前部ガス流路１４の流路断面積よりも小さいことが好ましい。
【００２６】
複数のガス室１１は互いのガス流入口１２とガス流出口１３とを向かい合わせて前後方向に整列する。図示するガス抽気装置は、６個のガス室１１を並べたものであり、前側から第一のガス室１１ａ、第二のガス室１１ｂ、第三のガス室１１ｃ、第四のガス室１１ｄ、第五のガス室１１ｅ、第六のガス室１１ｆと呼ぶ。隣り合うガス室１１のガス流入口１２とガス流出口１３とが連通する。図示するガス抽気装置では、ガス室１１を構成するガス室の後板を隣り合うガス室の前板としてが兼用している。最前端のガス流入口１２ａがガスダクトと連通し、最後端のガス流出口１３ｆがサンプルガスのラインと連通する。
【００２７】
ダスト排出ライン３０は、ガス室の下に溜まったダストを排出するための配管であり、ガス室の下端に設けられたダスト排出口１９ａ、１９ｂ、１９ｃ、１９ｄ、１９ｅ、１９ｆ（１９で代表する。）に連通する配管３１と配管の途中に設けられた開閉弁３２を有する。配管は、ガス分析装置１００の循環ポンプ１９７の吸い込み側に連通する。開閉弁３２は、通常閉じている。
【００２８】
以下に、第一の実施形態に係るガス抽気装置の作用を説明する。
ダクト１０１内のガス１が、ガス導入配管６０を介して、ガス抽気装置１０２の第一のガス室１１ａのガス流入口１２ａに入る。ガス１が、第一のガス室１１ａの前部ガス流路１４ａを下方向に流れる。ガス１がガス室仕切り壁１６ａの下端部１７ａまで来ると、急激に上方向に向きを変えて、後部ガス流路１５ａへ流れる。この際、ガスよりも比重の重いダストは遠心力により下側へ振り落とされる。ダストは、仕切り板１８ａの開口から下に落ちる。仕切り板１８ａの下側では、前部ガス流路１４ａでのガス１の流れの影響を受けにくく、ガスが滞留している。ダストは、一旦仕切り板１８ａの下方に入ると上に戻らずに、下に溜まる。ガス室を流れるガスは、仕切り板１８ａの下方に溜まったダストに接触しない。
ガスは後部ガス流路１５ａを上昇し、第一のガス室１１ａのガス流出口１３ａから流出する。次にガスは第二のガス室１１ｂへ流入し同一の作用を受けてダストを減らしながら、順次第三、第四、第五、第六のガス室を流れる。ガスは、第六のガス室１１ｆのガス流出口１３ｆを出て、ガス分析装置１００の次の工程（予熱温度調整器１０４）へ送られる。ガス分析装置１００を通過したガスは、ガス戻り配管７０を経由してガスダクト１０１へ戻る。
ダスト排出ライン３０の開閉弁３２を開くと、溜まったダストがガス室の外へ排出され、ガスダクト１０１へ戻される。
【００２９】
次に、本発明の第二の実施形態に係るガス抽気装置付きガス分析装置の構造を説明する。ガス抽気装置以外の構造と作用は同じなので、異なる部分のみ説明する。本発明の第二の実施形態に係るガス抽気装置を詳述する。図３は、本発明の第二の実施形態の斜視図である。
【００３０】
ガス流れ邪魔板の構造以外は同じなので、異なる部分のみ説明する。ガス流れ邪魔板が、ガス室仕切り壁１６の下端部１７より下方のガス室の壁からガス室内へ突き出した庇状の板である前部邪魔板２０ａ、２０ｂ、２０ｃ、２０ｄ、２０ｅ、２０ｆ（２０で代表する。）と後部邪魔板２１ａ、２１ｂ、２１ｃ、２１ｄ、２１ｅ、２１ｆ（２１で代表する。）とを有する。前部邪魔板２０は、ガス室仕切り壁１６の下端部１７より下方のガス室の前板の内壁からガス室内へ突き出す。後部邪魔板２１は、ガス室仕切り壁１６の下端部１７より下方のガス室の後板の内壁からガス室内へ突き出す。
【００３１】
第二の実施形態のガス抽気装置の作用を説明する。
ダクト１０１内のガス１が、抽気配管６０を介して、ガス抽気装置１０のガス流入口に入る。ガス１が、第一のガス室１１ａの前部ガス流路１４ａを下方向に流れる。ガス１がガス室仕切り壁１６ａの下端部１７ａまで来ると、急激に上方向に向きを変えて、後部ガス流路１５ａへ流れる。この際、ガスよりも比重の重いダストは遠心力により下側へ振り落とされる。ダストは、前部邪魔板２０ａと後部邪魔板２１ａの隙間から下に落ちる。前部邪魔板２０ａと後部邪魔板２１ａの下側では、前部ガス流路１４ａでのガス１の流れの影響を受けにくく、ガスが滞留している。ダストは、一旦前部邪魔板２０と後部邪魔板２１の下方に入ると上に戻らずに、下に溜まる。ガス室を流れるガスは、前部邪魔板２０と後部邪魔板２１の下方に溜まったダストに接触しない。
ガスは後部ガス流路１５ａを上昇し、ガス室１１ａのガス流出口１３ａから流出する。次にガスは第二のガス室１１ｂへ流入し同一の作用を受けてダストを減らしながら、順次第三、第四、第五、第六のガス室を流れる。第六のガス室１１ｆのガス流出口１３ｆを出る、ガス分析装置１００の次の工程（予熱温度調整器１０４）へ送られる。ガス分析装置１００を通過したガスは、ガス戻り配管７０を経由してガスダクト１０１へ戻る。
ダスト排出ライン３０の開閉弁３２を開くと、溜まったダストがガス室の外へ排出され、ガスダクト１０１へ戻される。
【００３２】
上述の実施形態のガス抽気装置を用いれば、ダストを除去したガスをガス分析装置に送ることができ、ガス分析装置は精度の高いガス分析をすることができる。
また、ガス抽気装置を流れるガスが、溜まったダストに直接接触しないので、ダストに触媒能力がある場合でも、ガスの成分に変化を与えずにガス分析をすることができる。
また、溜まったダストを定期的に排出することができる。
また、シンプルな構造なので、大きな圧力損失が生じず、ポンプ動力が少なくてすむ。
また、構造が簡単で可動部がないので、材料を選ばずに製作でき、例えば、ガラス等のガス成分に全く影響を与えない材料で作ることが出来る。
【００３３】
本発明は以上に述べた実施形態に限られるものではなく、発明の要旨を逸脱しない範囲で各種の変更が可能である。
ガス室の形状を６面体としたが、これに限定されない。
また、前後に並んだガス室が相互の前後板を兼用すると説明したがこれに限定されず、例えば、ガス室毎に独立したガス室ハウジングを有してもよい。
また、開閉弁を通常閉じていると説明したが、これに限定されず、例えば、常時開放しており、オリフィス等で流量を制御してもよい。
また、ガス室の数を６個としたがこれに限定されず、所望の性能を得られる様に数量を選択すればよく、例えば、１個でもよい。
また、前部ガス流路と後部ガス流路の流路断面積について言及していないが、例えば、前部ガス流路の流露断面積を所望の流速を得られる断面積とし、後部ガス流路をダストを吹き上げない流速となる断面積にしてもよい。
【００３４】
【発明の効果】
以上説明したように本発明のダストの混じったガスが流れるガスダクトからサンプルガスを抽気するガス抽気装置は、その構成により、以下の効果を有する。
ガスが、ガス室仕切り壁に沿って下降し、ガス室仕切り壁の下端部で急激に曲げられてガス室仕切り壁に沿って上昇し、ガス中のダストが遠心力で振り落とされ、ガス室の下に溜まり、ダストの少なくなったガスがガス流出口からでて、ダストの少ないガスを得ることが出来る。
また、ガスが、整列した複数のガス室を順次通過しつつ、ガスからダストが除去され、さらにダストの少ないガスを得ることが出来る。
また、ガス流れ邪魔板が、下端部より下方のガス室でのガスの流れを邪魔するので、ガスが溜まったダストに直接接触せず、ダストが触媒能力を有していても、ガス成分を変化させない。
また、ダストは開口を通過して仕切り板の下に溜まり、仕切り板の下はガスの流れの影響を受けず、ガスが溜まったダストに直接接触しない。
また、ダストは邪魔板の隙間を通過して邪魔板の下に溜まり、邪魔板の下はガスの流れの影響を受けず、ガスが溜まったダストに直接接触しない。
また、ダスト排出ラインの開閉弁を開くと、ガス室の下に溜まったダストを外部へ排出できる。
従って、連続的にガス中に含まれるダストを除去し、かつ触媒能力のあるダストが混じっていてもガス成分に変化を与えずにガスを抽気できるガス抽気装置を提供できる。
【００３５】
【図面の簡単な説明】
【図１】本発明の第一の実施形態の概念図である。
【図２】本発明の第一の実施形態の斜視図である。
【図３】本発明の第二の実施形態の斜視図である。
【図４】本発明の実施形態を設けたガス分析装置の概念図である。
【図５】燃焼設備の一例の概念図である。
【符号の説明】
１    ガス
２    ガス
３    ガス
４    サンプルガス
５    ダスト
１０    ガス室ハウジング
１１    ガス室
１２    ガス流入口
１３    ガス流出口
１4     前部ガス流路
１５    後部ガス流路
１６    ガス室仕切り壁
１７    ガス室仕切り壁の下端部
１８    仕切り板
１９    ダスト排出口
２０    前部邪魔板
２１    後部邪魔板
３０    ダスト排出ライン
３１    配管
３２    開閉弁
６０    ガス導入配管
７０    ガス戻り配管
１００    ガス分析装置
１０１    ガスダクト
１０２    ガス抽気装置
１０３    サンプルガスダクト
１０４    予熱調節器
１０５    予熱器
１０６    キャビティー
１０７    循環ポンプ
１０８    光源
１０９    反射ミラー
１１０    分光器
１１１    光検出素子
１１２    演算器
１１３    ヒータ
１１４    温度調節器
２００    燃焼装置
２０１    アスファルトタンク
２０２    加熱器
２０３    ボイラ
２０４    脱硝装置
２０５    予熱器
２０６    集塵器
２０７    吸収搭
２０８    煙突
【図１】
0004683317.tif 000002
【図２】
0004683317.tif 000003
【図３】
0004683317.tif 000004
【図４】
0004683317.tif 000005
【図５】
0004683317.tif 000006